(57)【要約】【課題】構造が簡易な歯科用粘性材料梱包体を提供する。【解決手段】壁厚が０．１ｍｍ以上０．８ｍｍ以下からなる筒状であり、一端が対向する縁部が接合されてなる封止部（１２ａ）を有して閉鎖されている容器（１１）と、容器の内側に充填され、稠度が１０ｍｍ以上２５ｍｍ以下である歯科用粘性材料（１５）と、を備える。【選択図】図１
2018000455.tif 000002
【特許請求の範囲】
【請求項１】
壁厚が０．１ｍｍ以上０．８ｍｍ以下からなる筒状であり、一端が対向する縁部が接合されてなる封止部を有して閉鎖されている容器と、
前記容器の内側に充填され、稠度が１０ｍｍ以上２５ｍｍ以下である歯科用粘性材料と、を備える、歯科用粘性材料梱包体。
【発明の詳細な説明】
【技術分野】
【０００１】
本発明は、歯科用粘性材料が容器に充填された、歯科用粘性材料梱包体に関する。
【背景技術】
【０００２】
歯科分野において歯科用充填材料や人工歯用材料、歯冠材作製用材料等の歯科用粘性材料を取り扱う場合、このような粘性の高い歯科用粘性材料が筒状の使い捨て容器に充填された態様（歯科用粘性材料梱包体）で提供されることが多い。
【０００３】
一般的な歯科用粘性材料梱包体の構造及びその使用態様が、例えば特許文献１〜４に開示されている。すなわち、歯科用粘性材料を収納する筒状の部材（例えばシリンジ）の一方の端部から押圧部材（例えばネジで繰り出すピストン）を挿入して筒状の部材の他方の端部から歯科用粘性材料を少量流出させる。そして、流出した歯科用粘性材料を一先端が球体やヘラ状等の形状のステッィク状の歯科用インスツルメントで掻き取って修復しようとする歯牙や作製しようとする歯科用材料の表面へ適用する。
【先行技術文献】
【特許文献】
【０００４】
【特許文献１】特公平６−２０４６８号公報
【特許文献２】特開平８−５６９６２号公報
【特許文献３】特開２００６−６１７３９号公報
【特許文献４】実用新案登録第３１０２３７８号公報
【発明の概要】
【発明が解決しようとする課題】
【０００５】
これら特許文献に記載の技術では、歯科用粘性材料の抽出に関するそれぞれの効果を有するものであるが、いずれもその構造は複雑で大きなものとなる傾向にあり、生産性、価格、破棄する際の廃棄物の量等の観点から問題があった。
【０００６】
そこで本発明は、構造が簡易な歯科用粘性材料梱包体を提供することを課題とする。
【課題を解決するための手段】
【０００７】
以下、本発明について説明する。ここでは分かり易さのため、図面に付した参照符号を括弧書きで併せて記載するが、本発明はこれに限定されるものではない。
【０００８】
本発明の１つの態様は、壁厚が０．１ｍｍ以上０．８ｍｍ以下からなる筒状であり、一端が対向する縁部が接合されてなる封止部（１２ａ）を有して閉鎖されている容器（１１）と、容器の内側に充填され、稠度が１０ｍｍ以上２５ｍｍ以下である歯科用粘性材料（１５）と、を備える、歯科用粘性材料梱包体（１０）である。
【発明の効果】
【０００９】
本発明によれば、非常に簡易な構造の歯科用粘性材料梱包体となり、歯科用粘性材料の使用後における廃棄物の量を減らすこともできる。
【図面の簡単な説明】
【００１０】
【図１】図１（ａ）は歯科用粘性材料梱包体１０の平面図、図１（ｂ）は歯科用粘性材料梱包体１０の側面図、図１（ｃ）は歯科用粘性材料梱包体１０のＩｃ−Ｉｃ断面図、図１（ｄ）は歯科用粘性材料梱包体１０のＩｄ−Ｉｄ断面図である。
【図２】図２（ａ）〜図２（ｃ）は歯科用粘性材料梱包体１０の使用の一場面を説明する図である。
【図３】図３（ａ）は歯科用粘性材料梱包体２０を説明する図、図３（ｂ）は歯科用粘性材料梱包体３０を説明する図である。
【図４】図４（ａ）は歯科用粘性材料梱包体４０の平面図、図４（ｂ）は歯科用粘性材料梱包体４０の側面図である。
【発明を実施するための形態】
【００１１】
以下、本発明を図面に示す形態に基づき説明する。ただし本発明はこれら形態に限定されるものではない。
【００１２】
図１は１つの形態を説明する図であり、歯科用粘性材料梱包体１０を説明する図である。図１（ａ）は平面図、図１（ｂ）は側面図、図１（ｃ）はＩｃ−Ｉｃ断面図、図１（ｄ）はＩｄ−Ｉｄ断面図である。
【００１３】
図１からわかるように本形態の歯科用粘性材料梱包体１０は、容器１１及び歯科用粘性材料１５を有して構成されている。
【００１４】
容器１１は、歯科用粘性材料１５が充填される容器であり、筒状であるとともに、その一端が封止部１２ａにより閉鎖された封止端１２となっている。本形態では他端は開口しており容器１１内側への工具の差込み等が許容される。
【００１５】
封止部１２ａは、封止端１２側において、筒状の端部がつぶされて対向する縁部分同士が接合された形態である。従って、他の部材を追加することなしに開口を閉鎖させることができ、非常に簡易な形態とすることができる。
【００１６】
容器１１の大きさ等は特に限定されることはないが、容器１１の厚さは０．１ｍｍ以上、０．８ｍｍ以下であることが好ましい。厚さが０．１ｍｍより薄いと容器１１が変形しやすくなり、気泡の混入等の不具合が生じやすくなる。厚さが０．８ｍｍより厚くなると容器１１が硬くなりすぎ、はさみ等で切断し難くなる。
【００１７】
また、容器１１を構成する材料は特に限定されることはないが、所定の強度を有する硬い材料であることが好ましい。具体的には、ポリエチレン、ポリアセタール、ポリプロピレン、ポリアミド，塩化ビニル樹脂、ナイロン、フェノール樹脂、ポリウレタン、飽和ポリエステル樹脂、メラミン樹脂 、ポリ塩化ビニリデン、不飽和ポリエステル樹脂、ポリブタジエン、ポリスチレン、ＥＶＡ（エチレン−酢酸ビニル共重合）樹脂、スチロール樹脂、ポリメチルペンテン、メタクリルスチレン、ＡＢＳ（アクロル二トリル，ブタジエン，スチレン）樹脂、ポリカーボネート樹脂等を好ましく使用できる。
そして容器１１は押し出し成形にて作製されていることが好ましい。
このように硬い材料により構成することにより人の力等により大きくつぶれ、その際、又はつぶれが戻ったときに歯科用粘性材料に気泡が混入することを防止することができる。
一方、容器１１は歯科用粘性材料の使用による減少に応じてはさみ等で容器を切断することもあるので、切断することができる程度の硬さに抑えることが好ましい。
【００１８】
歯科用粘性材料１５は、歯科分野において歯科用充填材料や人工歯用材料、歯冠材作製用材料等である。具体的な例としては、コンポジットレジンと呼ばれているペースト状の材料であり、光を当てると固まる歯の色をした硬化樹脂であって、多官能モノマーをベースとし、レジン(樹脂)中にガラス粉末やシリカ粉末などのフィラーを充填したものである。
【００１９】
歯科用粘性材料１５は、この中でも粘性の高い材料である。具体的な粘性は、稠度が１０ｍｍ以上２５ｍｍ以下とされているものである。稠度が１０ｍｍ未満では材料が硬すぎてそもそも治療に適さない。一方で稠度が２５ｍｍを越えると粘性が低すぎて歯科用粘性材料梱包体から漏れ出てしまったり、ヘラ等の歯科用工具で掻き取って使用することが難しくなる。好ましくは、稠度が１０ｍｍ以上１５ｍｍ以下である。
ここで稠度は、以下の方法で定義される。すなわち、調製した歯科用粘性材料を真空脱泡後、２５℃に２時間静置した試料を使用する。０．５ｍＬの試料を量り取り、２５℃の恒温室内（湿度４０％）でガラス板（５ｃｍ×５ｃｍ）の中心に盛り上げるように静置させ、その上に４０ｇのガラス板（５ｃｍ×５ｃｍ）を載せ、１２０秒経過後の試料の長径と短径をガラス板越しに測定し、その両者の算術平均を算出したものを稠度とする。なお、試料の長径は、試料の中心を通る直径のうち最も長いもの、試料の短径は、試料の中心を通る直径のうち試料の長径に直交するものとする。
【００２０】
このような歯科用粘性材料が容器１１の筒状である内側に充填されている。
【００２１】
以上のような歯科用粘性材料梱包体１０は、例えば次のように製造することができる。
すなわち、初めに、容器１１となる筒状体で、その両端が開口している筒状体を準備する。
次に開口している両端の一方の端部の開口から歯科用粘性材料１５を筒状体の内側に充填する。
そして筒状体の一方の開口端部をつぶし、開口の縁を熱溶着により接合して封止部１２ａを形成して閉鎖し封止端１２とする。
このような製造方法によれば歯科用粘着材料に気泡が混入することなく容器１１の内側に歯科用粘着材料を充填することができる。
【００２２】
このような歯科用粘性材料梱包体１０は例えば次のようにする。図２に説明のための図を示した。図２（ａ）〜図２（ｃ）はいずれも歯科用粘着材料梱包体１０を使用している一場面を例示する断面図である。
図２（ａ）に示したように、歯科医師などの施術者は、一先端が球体やヘラ状等の形状のステッィク状の歯科用工具１６を、容器１１の開口した端部から容器１１の内側に差し込み、歯科用粘性材料１５を掻き取って、修復しようとする歯牙や作製しようとする歯科用材料の表面へ適用する。
又は図２（ｂ）に示したように、歯科医師などの施術者は、容器１１の外周面を押圧し、歯科用粘性材料１５を容器１１の開口から飛び出させる。そしてこのように飛び出した歯科用粘性材料１５を歯科用工具で取り、修復しようとする歯牙や作製しようとする歯科用材料の表面へ適用する。
このような掻き取りを繰り返すと歯科用粘性材料１５が減り、容器１１の開口端部側は歯科用粘性材料１５が無くなり、容器１１のみとなる。その際には図２（ｃ）に示したように、歯科用粘性材料１５が無くなった部位の容器１１をはさみ等により切断する。これによりまた歯科用工具１６による歯科用粘性材料の上記掻き取りをすることができる。
【００２３】
以上のような歯科用粘性材料梱包体１０によれば、構造が簡易であり、生産性、や価格において優れたものとなる。また、使用者にとっても使用後において破棄する際の廃棄物の量を減らすことが可能となる。
【００２４】
図３（ａ)、図３（ｂ）は変形例にかかる歯科用粘性材料梱包体２０、及び歯科用粘性材料梱包体３０を説明する図である。
歯科用粘性材料梱包体２０は図３（ａ）からわかるように、上記した歯科用粘性材料梱包体１０のうち、開口側端部に着脱可能にフタ２１が備えられている。これにより、歯科用粘性材料梱包体１０の上記効果に加えて、使用していないときにおける歯科用粘性材料１５の暴露光による重合硬化や汚れを防止することができる。
また、歯科用粘性材料梱包体３０は図３（ｂ）からわかるように、容器３１の両端に封止部１２ａ、３２ａを設けて封止端部１２、３２となっている例である。このような歯科用粘性材料梱包体３０は、歯科用粘性材料梱包体１０の上記効果に加えて、使用前までは両端が封止されているため、製造後の輸送、保管において品質の維持を向上することができる。そして封止部３２をはさみ等により切断して使用する。
【００２５】
図４は、他の変形例にかかる歯科用粘性材料梱包体４０を説明する図である。図４（ａ）は歯科用粘性材料梱包体４０の平面図、図４（ｂ）は歯科用粘性材料梱包体４０の側面図である。
本形態では封止端部４２において、封止部４２ａが容器１１の軸線方向に長く延びるように形成されている。これにより封止部４２ａを持ち手に利用したり、ラベルを貼り付けるスペースとして利用することができるため、利便性を高めることができる。
【符号の説明】
【００２６】
１０、２０、３０、４０  歯科用粘性材料梱包体
１１、３１、４１  容器
１２、３２、４２  封止端部
１２ａ、３２ａ、４２ａ  封止部
１５  歯科用粘性材料
２１  フタ
【図１】
2018000455.tif 000003
【図２】
2018000455.tif 000004
【図３】
2018000455.tif 000005
【図４】
2018000455.tif 000006